(57)【要約】      （修正有）【課題】ペットから抜け毛や糸くずを取り除くためのペット毛すき用装置を提供する。【解決手段】第一固定具１及び第二固定具２を含むペット毛すき用装置において、該第一固定具１及び該第二固定具２はそれぞれ環状であり、且つ環の内側に貫通孔１１、２１が形成され、該第二固定具２の貫通孔２１に中心２２が定義されている。該第一固定具１と該第二固定具２とは対応して結合する。本実施例において、該第二固定具２は、その内側の環状壁で該第一固定具１に向いて無端筒状の延伸段２３を延出し、且つ該延伸段２３に雄ネジ部２３１が設けられる。一方、該第一固定具１は、その内側の環状壁に前記雄ネジ部２３１に対応する雌ネジ部１２が設けられる。このように、該第一固定具１はその雌ネジ部１２を介して該第二固定具２の雄ネジ部２３１と螺合して固定している。さらに、該第二固定具２に少なくとも一つの毛すき用ブラシ３が設けられる。【選択図】図１
0003206568.tif 000002
【実用新案登録請求の範囲】
【請求項１】
第一固定具と、
前記第一固定具と対応して結合する第二固定具であって、少なくとも一つの取付穴が設けられ、且つ各取付穴にそれぞれ毛すき用ブラシが設けられた第二固定具と、
を含むことを特徴とするペット毛すき用装置。
【請求項２】
前記第二固定具は、前記第一固定具に向いて延伸段を延出しており、且つ前記第一固定具と前記延伸段とが螺合するように、前記第一固定具と前記延伸段に互いに螺合可能なねじが設けられたことを特徴とする請求項１に記載のペット毛すき用装置。
【請求項３】
前記第一固定具及び前記第二固定具は、それぞれ環状に形成され、且つ環の内側に貫通孔が形成されたことを特徴とする請求項１に記載のペット毛すき用装置。
【請求項４】
前記貫通孔に中心が定義されており、各毛すき用ブラシはそれぞれ前記中心に向いて延伸していることを特徴とする請求項３に記載のペット毛すき用装置。
【請求項５】
前記第二固定具の周方向に沿って、複数の等分した領域が設けられ、一部又は全部の領域に前記取付穴が設けられたことを特徴とする請求項４に記載のペット毛すき用装置。
【請求項６】
前記取付穴が設けられた領域は互いに隣接することを特徴とする請求項５に記載のペット毛すき用装置。
【請求項７】
前記第一固定具と前記第二固定具は、それぞれ一つの固定端の両側に位置し、結合して共に前記固定端を挟持するようになることを特徴とする請求項１に記載のペット毛すき用装置。
【請求項８】
前記固定端は箱体に設けられた穴であることを特徴とする請求項７に記載のペット毛すき用装置。
【考案の詳細な説明】
【技術分野】
【０００１】
本考案は毛すき用ブラシ構造に関し、特にペットから抜け毛や毛くずを取り除くための毛すき用ブラシに関する。
【背景技術】
【０００２】
現在、ペットを飼う人は多い。よく見られるペットである猫又は犬には、毛が比較的長い品種がある。このようなペットは、汚れにより毛のねじれ又は結び目が発生しやすい場合がある。この場合、ペット主は常にブラシでペットに毛を梳いてあげて、毛の汚れ又は結び目を取り除くようにしている。
【０００３】
しかし、ペットはおとなしくないため、毛を梳いてあげにくい場合が多い。一方、ペット主が忙しいため、ペットに毛を梳いてあげる時間がない場合もあることから、ペットの健康及び美観を維持しにくくなる。
【０００４】
そこで、本考案は、上記のような問題を改善することを主な課題としている。
【考案の概要】
【０００５】
本考案は、ペットは箱に入ることが好きであるという習性を利用し、該箱に設ける穴を通過しながら、毛すき用ブラシに体を梳かれることにより、自動毛梳きの目的を達する、穴を有する箱に結合するペット毛すき用装置を提供することを主な目的としている。
【図面の簡単な説明】
【０００６】
【図１】図１は本考案の分解斜視図である。
【図２】図２は本考案の第二固定具の概略斜視図であり、部材の一部を分解して断面を示す。
【図３】図３は本考案と一つの箱体とを結合して使用する状態を示す概略断面図である。
【図４】図４は本考案の使用状態を示す模式図である。
【図５】図５は本考案と二つの箱体とを結合して使用する状態を示す概略斜視図である。
【図６】図６は本考案と二つの箱体とを結合して使用する状態を示す概略断面図である。
【考案を実施するための形態】
【０００７】
図１には、本考案に係る、第一固定具１及び第二固定具２を含むペット毛すき用装置を示す。本実施例において、該第一固定具１及び該第二固定具２はそれぞれ環状であり、且つ環の内側に貫通孔１１、２１が形成され、該第二固定具２の貫通孔２１に中心２２が定義されている。
【０００８】
さらに、該第一固定具１と該第二固定具２とは対応して結合する。本実施例において、該第二固定具２は、その内側の環状壁で該第一固定具１に向いて無端筒状の延伸段２３を延出し、且つ該延伸段２３に雄ネジ部２３１が設けられる。一方、該第一固定具１は、その内側の環状壁に前記雄ネジ部２３１に対応する雌ネジ部１２が設けられる。このように、該第一固定具１はその雌ネジ部１２を介して該第二固定具２の雄ネジ部２３１と螺合して固定している。
【０００９】
さらに、該第二固定具２に少なくとも一つの毛すき用ブラシ３が設けられる。図２に示すように、該第二固定具２に少なくとも一つの取付穴２４が設けられ、該毛すき用ブラシ３が該取付穴２４に設けられる。本実施例において、該第二固定具２の周方向に沿って六等分した領域Ｓ１〜Ｓ６が定義されており、そのうち、領域Ｓ１〜Ｓ４にそれぞれ一つの該取付穴２４が設けられ、該取付穴２４は環状の該第二固定具２の径方向に沿って該第二固定具２を貫通する。さらに、前記取付穴２４が設けられた領域Ｓ１〜Ｓ４は互いに隣接する。他の実施例において、前記領域Ｓ１〜Ｓ６に、いずれも該取付穴２４が設けられる。
【００１０】
各取付穴２４にそれぞれ毛すき用ブラシ３が設けられる。各取付穴２４の両側にそれぞれ挿嵌穴２４１が設けられ（そのうちの一つだけを示す）、該毛すき用ブラシ３は底座３１と複数のブラシ毛３２とからなり、該底座３１の両側にそれぞれ凸塊３１１が設けられることにより、該毛すき用ブラシ３が該取付穴２４に取り付けられる時に、該凸塊３１１を該挿嵌穴２４１に嵌め込むことで、該毛すき用ブラシ３が該取付穴２４に位置決めされる。
【００１１】
該毛すき用ブラシ３が前記取付けの方式により該取付穴２４に取り付けられた後、そのブラシ毛３２が該取付穴２４からはみ出して該第二固定具２の内側の貫通孔２１に進入し、ブラシ毛３２が該貫通孔２１の中心２２に向いてさらに延出するようになる。
【００１２】
以上に説明したのは、本考案のペット毛すき用装置の構成である。本考案は一つ又は複数の箱体と結合して使用されてもよい。図１に示すように、該箱体４の周方向に四つの側壁４１、４２があり、そのうち、側壁４１に箱体４の内側と外側とを貫通する穴４３が設けられている。図３に示すように、本考案の第一固定具１及び第二固定具２はそれぞれ該箱体４の内側及び外側に設けられ、且つ該穴４３の両側に位置する。該第二固定具２は、その延伸段２３が該穴４３の一側から該穴４３を通って他側に至ることにより、該第一固定具１と螺合する。このように、該第一固定具１と該第二固定具２との貫通孔１１、２１は該側壁４１の穴４３と連通して通路が形成され、且つ該第一固定具１と該第二固定具２とは結合して共に該側壁４１を挟持することにより位置決めされる。
【００１３】
図１に示すように、前記箱体４の他の側壁４２には、装飾用途として、さらに、様々なパターンの飾り穴４２１が設置されてもよい。該飾り穴４２１は前記装飾用途以外に、使用者は片手を該飾り穴４２１から該箱体４の内側に伸ばして該第一固定具１又は該第二固定具２の一方を保持し、他手で該箱体４の外側で他方の固定具を保持することにより、第一固定具１と第二固定具２との結合を行うこともできる。
【００１４】
本考案と箱体４との組み合わせにより、ペットは箱に入ることが好きであるという習性を利用することができ、図４に示すように、ペット５は該穴４３を通る時に、体が本考案の毛すき用ブラシ３と接触し、毛すきの効果を奏し、ペット５から毛くずが毛すき用ブラシ３に残して取り除かれる。このように、ペット主がペットに毛を梳いてあげる時間を節約されることができると共に、ペットは遊びながら本考案による自動的な毛梳きにより健康及び美観を維持することができる。
【００１５】
また、本考案と箱体との結合には、他の実施形態がある。図５、図６に示すように、二つの箱体４、４'の穴４３、４３'が連通できるように、二つの箱体４、４'の穴が設けられた側壁４１、４１'を寄せ合う。本考案の第一固定具１及び第二固定具２はそれぞれ二つの箱体４、４'の内側に設けられており、該第二固定具２を、それがある箱体４内でその延伸段２３を二つの穴４３、４３'を通過させ、且つもう一つの箱体４'に伸ばすことにより、該第一固定具１と螺合する。このようにして、該第一固定具１と該第二固定具２とは結合して共に二つの個箱体４、４'の側壁４１、４１'を挟持して位置決めされ、且つ、二つの箱体４、４'は上記のような連結により、ペットの進出のためもっと大きなスペースを形成する。さらに、本実施形態によると、ペットの箱体４、４'への進出の回数が増加するので、毛すき用ブラシ３にペットの体が梳かれる回数も増加することができ、効果はより顕著となる。
【符号の説明】
【００１６】
第一固定具１ 貫通孔１１、２１
雌ネジ部１２ 第二固定具２
中心２２ 延伸段２３
雄ネジ部２３１ 取付穴２４
挿嵌穴２４１ 毛すき用ブラシ３
底座３１ 凸塊３１１
ブラシ毛３２ 箱体４、４'
側壁４１、４１' 側壁４２
飾り穴４２１ 穴４３、４３'
ペット５ 領域Ｓ１〜Ｓ６
【図１】
0003206568.tif 000003
【図２】
0003206568.tif 000004
【図３】
0003206568.tif 000005
【図４】
0003206568.tif 000006
【図５】
0003206568.tif 000007
【図６】
0003206568.tif 000008